(57)【要約】  本明細書では、内部支持フレーム１１及び前記支持フレーム１１を囲む外板１２を有するパネル又は物の構造１０を開示し、前記外板１２は、少なくとも１つのフレキシブルプラスチック材料フィルムウェブ６２、６５、１２３、１２４、１２５、１２６の複数層が前記支持フレーム１１の周囲で巻かれ、事前に配置された前記フレキシブルプラスチックフィルムウェブ６２、６５、１２３、１２４、１２５、１２６に少なくとも部分的に重なることで形成され、これによって、前記ウェブ又は複数のウェブの少なくともいくつかの重なり領域が互いに接着され、パネル又は物の構造１０が容器２５、１３０を形成し、グラフィック表示パネルを形成し、蒸発抑制パネル１０を形成し、及び脱塩装置１０を形成するように使用される。本明細書では、本発明のパネル構造を形成する装置も開示する。【選択図】図１ａ
2007518638.tif 000002
【特許請求の範囲】
【請求項１】
内部支持フレーム手段、及び、少なくとも１つのフレキシブルウェブの少なくとも１層が前記支持フレーム手段の周囲に巻かれ、事前に配置された前記フレキシブルウェブに少なくとも部分的に重なることで少なくとも一部分に作製され、前記支持フレーム手段を少なくとも部分的に囲む外板を有し、
これによって、前記ウェブ又は複数のウェブのうち少なくともいくつかの重なり領域が互いに接着されることを特徴とするパネル又は物の構造。
【請求項２】
複数の前記層を備え、これによって、前記層のうち少なくともいくつかの層が前記層のうち他の少なくとも１層に接着されることを特徴とする請求項１に記載されたパネル又は物の構造。
【請求項３】
前記外板は前記支持フレーム手段に貼り付けられた後にフレキシビリティを維持し、前記支持フレーム手段にいくらかの張力又は圧力を付加することを特徴とする請求項２に記載されたパネル又は物の構造。
【請求項４】
前記支持フレーム手段が単一のフレーム要素であることを特徴とする請求項１から３のいずれか１項に記載されたパネル又は物の構造。
【請求項５】
前記支持フレーム手段は少なくとも２つのフレーム要素を有し、前記フレーム要素は離れて配置され、及び前記フレキシブルウェブ又は複数のウェブによって巻かれ、隣り合うフレーム要素間の前記フレキシブルウェブ又は複数のウェブがヒンジ手段を形成することを特徴とする請求項１から３のいずれか１項に記載されたパネル又は物の構造。
【請求項６】
前記単一のフレーム要素がヒンジ手段によって相互に連結される少なくとも２つの部分を有することを特徴とする請求項４に記載されたパネル又は物の構造。
【請求項７】
前記内部支持フレーム手段は前記外板によって全体的に囲まれることを特徴とする請求項１から６のいずれか１項に記載されたパネル又は物の構造。
【請求項８】
前記フレキシブルウェブ又は複数のウェブは互いに異なる角度、好ましくは実質的に９０°に配置される少なくとも２方向に巻かれることを特徴とする請求項７に記載されたパネル又は物の構造。
【請求項９】
前記フレキシブルウェブはフレキシブルプラスチックフィルムウェブであることを特徴とする請求項１から８のいずれか１項に記載されたパネル又は物の構造。
【請求項１０】
前記フレキシブルウェブは降伏点を越えて事前に延伸したプラスチックフィルムであり、その長さを延ばし、その厚さを薄くし、前記フィルムがいくらかの記憶を保持することを特徴とする請求項９に記載されたパネル又は物の構造。
【請求項１１】
前記物又はパネル構造を加熱手段に通過させ、又はその近くにして、前記フレキシブルプラスチックフィルムを前記支持フレーム手段上に熱収縮させることを特徴とする請求項１０に記載されたパネル又は物の構造。
【請求項１２】
空気を前記外板内に閉じこめ保持することを特徴とする請求項９又は１０に記載されたパネル又は物の構造。
【請求項１３】
前記外板の１以上の位置に穴を開けることを特徴とする請求項９から１２のいずれか１項に記載されたパネル又は物の構造。
【請求項１４】
前記フレキシブルプラスチックフィルムの前記層の間に空気の区域を閉じ込めることを特徴とする請求項９から１３のいずれか１項に記載されたパネル又は物の構造。
【請求項１５】
前記フレキシブルプラスチックウェブ又は複数のウェブは自己接着特性を有し、又は個別の接着剤又は接着層を使用して、前記フレキシブルウェブ又は複数のウェブの層をともに接着することを特徴とする請求項９から１４のいずれか１項に記載されたパネル又は物の構造。
【請求項１６】
前記支持フレーム手段は周辺部に実質的に剛性のフレーム構成を有し、前記周辺剛性フレーム構成の内部に実質的に空間を定義することを特徴とする請求項１から３のいずれか１項、又は請求項１から３のいずれか１項に直接従属する場合の請求項７、９又は１０のいずれか１項に記載されたパネル又は物の構造。
【請求項１７】
前記周辺剛性フレーム構成は、前記プラスチックフィルムウェブ又は複数のウェブの前記外板がそれらに巻き付くときに、外部縁部区域が少なくとも１つのベベル縁部を形成するように構成される部分を有することを特徴とする請求項１６に記載されたパネル又は物の構造。
【請求項１８】
前記ベベル端部領域又は複数の領域は前記周辺剛性フレーム構成の周囲に全体的に延びることを特徴とする請求項１７に記載されたパネル又は物の構造。
【請求項１９】
前記周辺剛性フレーム構成は、前記ウェブ又は複数のウェブの前記外板がそれらに巻き付くときに、外部端部区域が凸曲面を形成するように構成される部分を有することを特徴とする請求項１６に記載されたパネル又は物の構造。
【請求項２０】
前記周辺剛性フレーム構成は、前記ウェブ又は複数のウェブの前記外板がそれらに巻き付くときに、外部縁部区域が正方形又は長方形端部を形成するように構成される部分を有することを特徴とする請求項１６に記載されたパネル又は物の構造。
【請求項２１】
前記外板の内部層又は複数層と外部層又は複数層の間に印刷シートが挟まれ、少なくとも前記外部層又は複数層が透過性であり、これによって、前記印刷シートが視認可能であることを特徴とする請求項１から３のいずれか１項に記載され、又は請求項１、２又は３のいずれか１項に従属する場合の請求項７、９又は１０のいずれか１項に記載されたパネル又は物の構造。
【請求項２２】
発泡プラスチック材料が前記外板内に配置されることを特徴とする請求項１から３のいずれか１項に記載され、又は請求項１、２又は３のいずれか１項に従属する場合の請求項７、９又は１０のいずれか１項に記載されたパネル又は物の構造。
【請求項２３】
剛性又は半剛性パネルが前記外板内、前記外板の層間、又は前記外板の外側のいずれかに配置されることを特徴とする請求項１から３のいずれか１項に記載され、又は請求項１、２又は３のいずれか１項に従属する場合の請求項７、９又は１０のいずれか１項に記載されたパネル又は物の構造。
【請求項２４】
剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に作製され、前記支持フレーム手段を囲む外板を有し、
これによって、前記フレキシブルプラスチックフィルムウェブ又は複数のウェブのうち少なくともいくつかの重なり領域が互いに接着され、グラフィック表示が前記外板の外部表面に行われることを特徴とするグラフィック表示パネル。
【請求項２５】
前記グラフィック表示は前記外板の前記外部表面上に直接印刷され、又は接着して形成されることを特徴とする請求項２４に記載されたグラフィック表示パネル。
【請求項２６】
前記グラフィック表示は前記外板の前記外部表面に接着される別のシート上に印刷され、又は他の方法で形成されることを特徴とする請求項２４に記載されたグラフィック表示パネル。
【請求項２７】
剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に作製され、前記指示フレーム手段を囲む外板を有し、
これによって、前記フレキシブルプラスチックフィルムウェブ又は複数のウェブの少なくともいくつかの重なり領域が互いに接着されることを特徴とする蒸発抑制パネル。
【請求項２８】
剛性内部支持フレーム手段、及び、少なくとも１つのフレキシブルプラスチックフィルムウェブの少なくとも１層が前記指示フレーム手段の周囲に巻かれ、事前に配置された前記フレキシブルプラスチックフィルムウェブに少なくとも部分的に重なることで少なくとも一部分に作製され、前記支持フレーム手段を囲む外板を有し、
これによって、前記フレキシブルプラスチックフィルムウェブ又は複数のウェブの少なくともいくつかの重なり領域が互いに接着され、前記支持フレーム手段及び前記外板は注入口及び出口配置手段を有する密閉された内部区域を定義し、前記内部区域に及びそこから、脱塩される水を導入し及び取り出し、前記外板は、少なくとも１つの上部領域を前記支持フレーム手段の少なくとも１つの中空区域から上方に傾斜させ、前記支持フレーム手段はさらに水収集及び排出手段を有し、前記上方に傾斜した領域に凝縮した純水を収集し、前記支持フレーム手段の前記少なくとも１つの中空区域にそれを運搬することを特徴とする脱塩装置。
【請求項２９】
請求項１から２３のいずれか１項に記載された少なくとも１つのパネル構造から構成される容器。
【請求項３０】
複数の前記パネル構造を備え、ヒンジ手段を介してともに接続され、前記容器を実質的に平坦な状態で移送し、最終使用者によって前記容器に組み立てることを特徴とする請求項２９に記載された容器。
【請求項３１】
解除可能な固定手段を備え、隣り合う前記側壁を形成するための前記パネル構造が互いに解除可能に接続されることを特徴とする請求項３０に記載された容器。
【請求項３２】
前記パネル構造のうち少なくとも１つは、透過性のフレキシブルプラスチック材料ウェブの少なくとも１層によって外側を覆い保持される印刷シートを有することを特徴とする請求項２９から３０のいずれか１項に記載された容器。
【請求項３３】
前記少なくとも１層の透過性プラスチック材料ウェブは組み立てた容器構造で前記パネル構造を連結し固定する外装も形成することを特徴とする請求項３２に記載された容器。
【請求項３４】
請求項１から２３のいずれか１項に記載された少なくとも１つの長方形形状のパネル構造を有し、さらに、前記パネル構造の少なくとも１つの対向する縁部を係合し保持する保持手段を有することを特徴とする壁構造要素。
【請求項３５】
前記パネル構造の少なくとも３縁部は前記保持手段によって固定されることを特徴とする請求項３４に記載された壁構造要素。
【請求項３６】
請求項３４又は３５に記載された複数の壁構造要素を有することを特徴とする枠組の底部に作製される容器構成。
【請求項３７】
請求項１から２３のいずれか１項に記載された少なくとも１つの長方形形状のパネル構造を有し、さらに、前記内部支持フレーム手段に接続され、前記パネル構造の少なくとも１つの側面の全体を実質的に覆う１以上の剛性又は半剛性材料シートを有することを特徴とする壁構造要素。
【請求項３８】
内部支持フレーム手段、及び、少なくとも１つのフレキシブルウェブが前記支持フレーム手段の周囲で少なくとも部分的に重なるように巻かれることで少なくとも一部分に作製され、前記支持フレーム手段を少なくとも部分的に囲むフレキシブル外板を有し、
これによって、前記ウェブ又は複数のウェブの少なくともいくつかの重なり領域が互いに接着され、前記支持フレーム手段は２つの互いに平行な第１フレーム部材が互いに隔離しており、各前記第１フレーム部材が少なくとも１つのヒンジ区域を有し、前記隔離した第１フレーム部材の前記ヒンジ区域は少なくとも１対で配置され、前記対がヒンジ軸を定義し、前記ヒンジ軸の周囲で、前記フレキシブル外板を前記内部支持フレーム手段に貼り付けた後で、前記ヒンジ区域の両面上の前記第１フレーム部材の部分が異なる相対的な配置に位置されることを特徴とするパネル構造。
【請求項３９】
第２フレーム部材は、前記対のヒンジ区域で、又はそれに隣接して、前記第１フレーム部材に接続して固定されることを特徴とする請求項３８に記載されたパネル構造。
【請求項４０】
前記２つの互いに平行で隔離した前記第１フレーム部材の中間に配置される少なくとも１つの追加の前記第１フレーム部材をさらに有し、追加の前記第１フレーム部材は各前記ヒンジ軸に沿ったヒンジ区域も有することを特徴とする請求項３９に記載されたパネル構造。
【請求項４１】
各前記ヒンジ区域は、一定の相対位置にある前記ヒンジ区域の両面上の前記第１フレーム部材の部分を、前記一定の相対位置を新たな一定の相対位置に変化させるように外力が付加されるまで、維持することを特徴とする請求項３８から４０のいずれか１項に記載されたパネル構造。
【請求項４２】
各前記ヒンジ区域が折れ線、又は前記ヒンジ区域の両面上の前記第１フレーム部材の部分に対し相対的に薄い厚さの領域を有することを特徴とする請求項４１に記載されたパネル構造。
【請求項４３】
各前記ヒンジ区域は、少なくとも所定の弧の移動範囲内で、前記ヒンジ軸又は複数の軸の周囲で、前記ヒンジ区域の両面上の前記第１フレーム部材の部分の実質的な自由な移動を可能にすることを特徴とする請求項３８から４０のいずれか１項に記載されたパネル構造。
【請求項４４】
所定の弧の移動への前記ヒンジ軸又は複数の軸の周囲での前記ヒンジ区域の両面上の前記第１フレーム部材の部分の移動を制限するように配置される隣接手段をさらに有することを特徴とする請求項４１、４２又は４３に記載されたパネル構造。
【請求項４５】
２つの互いに平行で隔離した前記第１フレーム部材の端部部分に結合し接続され、実質的に長方形の前記内部支持フレーム手段を形成する端部フレーム部材を有することを特徴とする請求項３８から４４のいずれか１項に記載されたパネル構造。
【請求項４６】
前記フレキシブル外板は、前記端部フレーム部材の周囲で巻かれたフレキシブルプラスチック材料フィルムウェブの少なくとも１つの第１層を有することを特徴とする請求項４５に記載されたパネル構造。
【請求項４７】
前記フィルムウェブは、少なくとも前記２つの互いに平行で隔離した第１フレーム部材の間の距離の範囲の幅を有することを特徴とする請求項４６に記載されたパネル構造。
【請求項４８】
前記外板は、２つの互いに平行で隔離した前記第１フレーム部材の周囲に、重なるようにらせん状に巻かれたフレキシブルプラスチック材料フィルムウェブの少なくとも１つの第２層をさらに有することを特徴とする請求項４６又は４７に記載されたパネル構造。
【請求項４９】
前記第１層は、前記フレキシブル外板の外部表面を形成することを特徴とする請求項４８に記載されたパネル構造。
【請求項５０】
前記フレキシブル外板内の圧力が気圧と同じになることを確実にする均圧手段をさらに有することを特徴とする請求項３８から４９のいずれか１項に記載されたパネル構造。
【請求項５１】
複数の前記ヒンジ軸を備え、前記ヒンジ軸の全てがそれぞれ互いに平行であることを特徴とする請求項３８から５０のいずれか１項に記載されたパネル構造。
【請求項５２】
複数の前記ヒンジ軸を備え、前記ヒンジ軸のいくつかが他の前記ヒンジ軸に対し直角に配置されることを特徴とする請求項３８から５１のいずれか１項に記載されたパネル構造。
【請求項５３】
前記第１フレーム部材の部分が前記ヒンジ軸の周囲で移動され、前記パネル構造の自由端縁を互いに隣接するように位置することを特徴とする請求項３８から５２のいずれか１項に記載されたパネル構造を有する製品。
【請求項５４】
内部の実質的な空間をそれぞれ定義する複数の個別の実質的に剛性の周辺フレーム構成、及び、
フレキシブルプラスチックフィルムウェブ材料の少なくとも１層が前記フレーム構成の全ての周囲で巻かれ、事前に形成した長さの前記フレキシブルプラスチックフィルムウェブ材料を少なくとも部分的に重ねることで作製され、前記ウェブ材料の少なくともいくつかの重なり領域が互いに接着される外皮を有することを特徴とするフラットパネル組立品。
【請求項５５】
各前記個別の実質的に剛性の周辺フレーム構成は、少なくとも１つのフレキシブルプラスチックフィルムウェブの少なくとも１層によって個別に巻かれ、及び少なくとも部分的に囲まれ、個別のパネルを形成し、これによって、前記ウェブ又は複数のウェブの少なくともいくつかの重なり領域が互いに接着されることを特徴とする請求項５４に記載されたことを特徴とするフラットパネル組立品。
【請求項５６】
各前記個別の実質的に剛性の周辺フレーム構成は前記フレキシブルプラスチックフィルムウェブによって全体的に囲まれることを特徴とする請求項５５に記載されたフラットパネル組立品。
【請求項５７】
第１の前記フレーム構成は正方形又は長方形であり、及び少なくとも１つの他の前記フレーム構成は縁部が前記第１フレーム構成の各縁部に隣接して位置されることを特徴とする請求項５４から５６のいずれか１項に記載されたフラットパネル組立品。
【請求項５８】
前記外皮は、前記プラスチックフィルムウェブ材料の層を第１方向、及び引き続いて前記第１方向に角度をなす第２方向に連続して巻くことで形成されることを特徴とする請求項５４から５７のいずれか１項に記載されたフラットパネル組立品。
【請求項５９】
前記角度は約９０°であることを特徴とする請求項５８に記載されたフラットパネル組立品。
【請求項６０】
パネル内で実質的に互いに隣接して配置される請求項１、又は請求項１に従属する場合の請求項７に記載された複数のパネル構造を有し、少なくとも１つの連続する層が前記パネル構造の一方面のみに接着されることを特徴とすることを特徴とするフラットパネル組立品。
【請求項６１】
前記少なくとも１つの連続する層は、前記重なり区域で互いに接着される少なくとも２つの重なりウェブで構成されることを特徴とする請求項６０に記載されたフラットパネル組立品。
【請求項６２】
請求項６０又は６１に記載されたフラットパネル組立品から製造される容器であって、
１つの前記パネル構造は前記容器の底部を形成し、及び他の前記パネル構造は前記容器の側壁を形成し、連続する層は前記容器の隣接する側壁の隣接する縁部間、及び前記底部と前記側壁の隣接する縁部間で、密閉を形成することを特徴とする容器。
【請求項６３】
請求項５４から５９のいずれか１項に記載されたフラットパネル組立品から製造される容器であって、１つの前記フレーム構成は前記容器の底部を形成し、他の前記フレーム構成は前記容器の側壁を形成し、前記外皮は、前記容器の隣接する側壁の隣接する縁部間、及び前記底部と前記側壁の隣接する縁部間で、密閉を形成することを特徴とする容器。
【請求項６４】
複数層のフレキシブルウェブが支持フレーム手段の周囲で巻かれることで外板が少なくとも一部分に形成されて前記支持フレーム手段を包装する装置であって、
前記装置は、第１運搬手段及び第２運搬手段を有し、前記第１及び前記第２運搬手段は前記支持フレーム手段を前記第１及び前記第２運搬手段の間で往復して移動するように構成され、及び、前記フレキシブルウェブのロールは、前記第１及び前記第２運搬手段の間に配置され、相対的に高い位置と相対的に低い位置の間で移動可能であり、前記支持フレーム手段が前記第１及び前記第２運搬手段の間で移動するときに、前記フレキシブルウェブの前記ロールが高い位置にあって、前記フレキシブルウェブは前記支持フレーム手段の第１面に沿って連続して位置され、ここですぐに、前記フレキシブルウェブの前記ロールが低い位置に移動し、前記支持フレーム手段が前記第１及び前記第２運搬手段の間で再度移動するときに、前記フレキシブルウェブが前記第１面と反対の前記支持フレーム手段の第２面に沿って位置されることを特徴とする装置。
【請求項６５】
前記第１又は前記第２運搬手段の少なくとも１つは、前記第１及び前記第２の運搬手段の間で前記支持フレーム手段が移動する平面に対し９０°に配置された回転軸の周囲で全体的に再配置可能であることを特徴とする請求項６４に記載された装置。
【請求項６６】
第３運搬手段を備え、前記第１及び前記第２運搬手段の間で移動する方向に対し９０°の方向で前記支持フレームを移動させ、前記第３運搬手段は、前記回転軸の周囲で全体的に再配置される前記第１又は前記第２運搬手段と協動可能であり、フレキシブルウェブの第２ロールは、高位置と低位置の間で選択的に移動するために設置され、前記第３運搬手段と、前記回転軸の周囲で全体的に再配置される前記第１又は前記第２運搬手段の間に配置されることを特徴とする請求項６１に記載された装置。
【請求項６７】
前記フレキシブルウェブの少なくとも２つのロールが前記第１及び前記第２運搬手段の間に位置され、前記ロールのそれぞれが前記高位置と前記低位置の間で移動可能であることを特徴とする請求項６４に記載された装置。
【請求項６８】
前記ロールは、前記フレキシブルウェブが前記支持フレーム手段に貼り付けられるように軸方向に移動可能であることを特徴とする請求項６４に記載された装置。
【請求項６９】
複数層のフレキシブルウェブが支持フレーム手段の周囲で巻かれることで外板が少なくとも一部分に形成されて前記支持フレーム手段を包装する装置であって、
前記装置は、第１運搬手段及び第２運搬手段を有し、前記第１及び前記第２運搬手段の間で前記支持フレーム手段を移動するように配置され、及び、フレキシブルウェブの少なくとも１つのロールはほぼ前記第１及び前記第２運搬手段の間に配置され、前記第１及び前記第２運搬手段の間で移動し前記フレキシブルウェブを前記支持手段上でらせん状に巻いておくように、前記支持フレーム手段の周囲で周回するように配置され、前記装置は、前記支持フレーム手段の反対面上で前記支持フレーム手段の長手方向にらせん状に巻いたものの下で、又はその上で少なくとも１つのフレキシブルウェブを貼り付ける第１フレキシブルウェブ貼付手段をさらに有することを特徴とする装置。
【請求項７０】
前記らせん状に巻いたものの他の面上に少なくとも１つのフレキシブルウェブを前記第１フレキシブルウェブ貼付手段によって貼り付けられたフレキシブルウェブに貼り付ける第２フレキシブルウェブ貼付手段をさらに有し、前記フレキシブルウェブは、前記第２フレキシブルウェブ貼付手段が前記支持フレーム手段の反対面上で前記長手方向に貼り付けることで貼り付けられることを特徴とする請求項６９に記載された装置。
【発明の詳細な説明】
【技術分野】
【０００１】
本発明は、新規なパネル及びそれによって組み立てられる容器又は同様の製品に関する。
【背景技術】
【０００２】
様々な材料と構造からパネル、容器又は物を作製することは知られている。一般的に用いられる材料としては、合板を含む木材、段ボール紙を含むボール紙、発泡スチロール、ポリウレタン、ガラス、及びプラスチック製の段ボール紙を含む剛性と半剛性プラスチックなどが含まれる。これらの材料のそれぞれには特定の応用に対してある利点があるが、ほとんどには多くの応用でそれらの使用によくても妥協している不利もある。例えば、木材は、パネル、容器又は枠箱に仕上ることが難しい比較的高価な材料である。また、木材からなるパネル、容器及び枠箱は大抵かなり重い。ボール紙は、材料として、及び容器などを仕上る際に、比較的安価であるが、耐水性でない。容器、箱又は枠箱に作製されるポリスチレンはその容積のため輸送するのに高価である。合板を含む木材及び剛性又は半剛性のプラスチックは、そのような容器内に梱包された製品への損傷に対して保護が制限され、又は保護されず、また、断熱性が制限される。
【発明の開示】
【課題を解決するための手段】
【０００３】
本発明の目的としては、安価で新規なパネル又は物の構造、及び容器などを含むそのような物又はパネルの構造を利用した組立品を提供することであり、上述の問題の多くを既知の材料及び構造で解消することができる。
【０００４】
したがって、本発明は、内部支持フレーム手段、及び、少なくとも１つのフレキシブルウェブの少なくとも１層が前記支持フレーム手段の周囲で巻かれ、事前に配置された前記フレキシブルウェブに少なくとも部分的に重なることで少なくとも一部分に作製され、前記支持フレーム手段を少なくとも部分的に囲む外板を有し、これによって、前記ウェブ又は複数のウェブの少なくともいくつかの重なり領域が互いに接着されることを特徴とするパネル又は物の構造を提供する。好ましくは、複数の前記層が形成され、これによって前記層のうち少なくともいくつかの層が少なくとも他の１層に接着される。好ましくは、前記外板は、前記支持フレーム手段に貼り付けられた後に、フレキシビリティを保持し、前記支持フレーム手段上にいくらかの張力及び圧力を付加する。好ましくは、前記外板は前記支持フレーム手段を全体的に囲んでもよい。好ましくは、少なくとも１つの前記フレキシブルウェブがプラスチックフィルムであってもよい。都合よく、利用される前記フレキシブルウェブが配向プラスチックフィルム、延伸プラスチックフィルム又はその降伏点を越えて事前に延伸されたプラスチックフィルムであってもよいが、いくらかの記憶を保持し、これによって、前記支持フレーム手段上で貼り付け後に収縮するようになる。この方法で事前に延伸した鎖状低密度ポリエチレンフィルム材料が本発明の性能のため適当である（しかし本質的ではない）。都合よく、前記外板が完全に１以上のフレキシブルプラスチックフィルムウェブからなってもよく、又は、プラスチックフィルムウェブと少なくとも１つの他のウェブからなってもよく、例えば補強した網や他の材料からなってもよい。このような他の材料は、合板、パネルなどの剛性又は半剛性パネルを含んでもよく、このようなパネルは巻かれたプラスチック材料フィルム内に、又はそれの両面に位置されて、必要ならば強度を増加させてもよい。したがって、物又はパネル構造は、利用する実施の形態によって、相対的に軽重量のパネル構造を提供し、これは安価に製造でき、水又は液体耐性であり、そのようなパネル構造を利用する容器内に梱包される物品を保護することもできる。好適な一実施の形態では、前記内部支持フレーム手段は内部自由空間領域をそれの外部周辺寸法内で定義し、前記外板が前記内部自由空間領域を実質的に囲んでもよい。前記外板は水又は液体耐性であり、水又は液体は内部自由空間領域に入ることができない、又は、選択的に、好ましくは、注入口／出口手段が備えられると、内部自由空間領域がいくらかの液量で水を収納するように構成される。同様の特徴では注入口及び出口が内部自由区域領域に備わることがもちろん確認されることになる。好ましくは、注入口／出口手段は、任意の適当な手段によって再度密閉可能である。都合よく、内部支持フレーム手段を平坦な平面に、又はそれに平行に形成してもよく、代わりに、３次元的に形成してもよい。都合よく、前記支持フレーム手段は内部自由区域領域の外側に対向する凸曲面表面を有する。
【０００５】
別の考えられる構成では、外板が形成される前に、内部自由空間領域がポリウレタン、ポリスチレン（又は同様のもの）発泡プラスチック材料の剛性又は半剛性パネルで充填され、又は部分的に充填されてもよい。代わりに、外板が形成された後に、内部自由空間領域に発泡プラスチック材料（ポリウレタン、ポリスチレンなど）を注入して充填してもよい。
【０００６】
物又はパネル構造の好適な特徴としては、添付の請求項２から２３で定義されているようなものであり、これらの請求項の対象は、これらへの参照によって本明細書の開示に組み込まれる。
【０００７】
本明細書で使用される場合、「支持フレーム手段」、「フレーム要素」などの用語は、例えば、段ボールなどのシートのような連続した支持要素、又は外部周辺支持部がその間に大きな空間を定義するオープンフレームの両方の意味をなし、大体は平面形状、又は３次元形状であることを意図する。
【０００８】
他の構成によれば、本発明は、剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に形成され、前記支持フレーム手段を囲む外板を有し、これによって、前記フレキシブルプラスチックフィルムウェブ又は複数のウェブの少なくともいくつかの重なり領域が互いに接着され、グラフィック表示が前記外板の外部表面に行われることを特徴とするグラフィック表示パネルを提供する。本構成の好ましい特徴としては、添付の請求項２５及び２６に定義されたとおりであり、これらの請求項の対象はこれらへの参照によって本明細書の開示に組み入れられる。
【０００９】
さらに別の構成によれば、本発明は、剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に形成され、前記支持フレーム手段を囲む外板を有し、これによって、前記フレキシブルプラスチックフィルムウェブ又は複数のウェブの少なくともいくつかの重なり領域が互いに接着されることを特徴とする蒸発抑制パネルを提供する。
【００１０】
本発明のさらに別の構成によれば、剛性内部支持フレーム手段、及び、少なくとも１つのフレキシブルプラスチックフィルムウェブの少なくとも１層が前記支持フレーム手段の周囲に巻かれ、事前に配置された前記フレキシブルプラスチックフィルムウェブに少なくとも部分的に重なることで少なくとも一部分に作製され、前記支持フレーム手段を囲む外板を有し、これによって、前記フレキシブルプラスチックフィルムウェブ又は複数のウェブの少なくともいくつかの重なり領域が互いに接着され、前記支持フレーム手段と前記外板は注入口及び出口配置手段を有する密閉された内部区域を定義し、脱塩される水を前記内部区域に導入し、及びそこから取り出し、前記外板は少なくとも１つの上部領域が前記支持フレーム手段の少なくとも１つの中空区域から上方に傾斜しており、前記支持フレーム手段は水収集及び排出手段を有し、前記上方に傾斜した領域に凝縮する純水を収集し、前記支持フレーム手段の前記少なくとも１つの中空区域にそれを運搬することを特徴とする脱塩装置を提供する。
【００１１】
本発明は、組み立てた構成で上述したようにパネル構造を利用することを予期し、添付の請求項２９から３３に定義された多様な用途のために容器又は壁構造を提供することもできる。これらの請求項の対象もまた、これらへの参照によって本明細書の開示に組み入れられる。
【００１２】
本発明は、上述したように少なくとも１つの長方形形状のパネル構造を有し、さらに、前記パネル構造の対向する縁部を係合し保持する保持手段を有する壁構造要素を利用することを提供する。このような壁構造要素の好適な特徴としては、添付の請求項３１から３７に定義されているものであり、これらの請求項の対象はこれらへの参照によって本明細書の開示に組み入れられる。
【００１３】
本発明のさらに別の構成によれば、内部支持フレーム手段、及び、少なくとも１つのフレキシブルウェブが前記支持フレーム手段の周囲に少なくとも部分的に重なって巻かれることで少なくとも一部分で形成され、前記支持フレーム手段を少なくとも部分的に囲むフレキシブル外板を有し、これによって、前記ウェブ又は複数のウェブの少なくともいくつかの重なり領域が互いに接着され、前記支持フレーム手段は、２つの互いに平行な第１フレーム部材を互いに隔離し、各前記第一フレーム部材が少なくとも１つのヒンジ区域を有し、前記隔離した第１フレーム部材の前記ヒンジ区域が少なくとも１対で配置され、前記対がヒンジ軸を定義し、前記ヒンジ軸の周囲で、前記フレキシブル外板が前記内部支持フレーム手段に貼り付けられた後に、前記ヒンジ区域の両面上の前記第１フレーム部材の部分が異なる相対的な配置に位置されることを特徴とするパネル構造を提供する。この他の構成の好適な特徴としては、添付の請求項３９から５３に定義されるものであり、これらの請求項の対象はこれらへの参照によって本明細書の開示に組み入れられる。
【００１４】
また、本発明は、請求項５４に記載のフラットパネル組立品を提供する。本構成の好適な特徴としては、添付の請求項５５から５９に定義されたものであり、これらの請求項の対象はこれらへの参照によって本明細書の開示に組み入れられる。添付の請求項６０に定義された容器をそのようなフラットパネル組立品から作製してもよい。
【００１５】
また、本発明は、複数層のフレキシブルウェブが支持フレーム手段の周囲で巻かれることで外板が少なくとも一部分に形成されて前記支持フレーム手段を包装する装置であって、前記装置は、第１運搬手段及び第２運搬手段を有し、前記第１及び前記第２運搬手段は前記支持フレーム手段を前記第１及び前記第２運搬手段の間で往復して移動するように構成され、及び、前記フレキシブルウェブのロールは、前記第１及び前記第２運搬手段の間に配置され、相対的に高い位置と相対的に低い位置の間で移動可能であり、前記支持フレーム手段が前記第１及び前記第２運搬手段の間で移動するときに、前記フレキシブルウェブの前記ロールが高い位置にあって、前記フレキシブルウェブは前記支持フレーム手段の第１面に沿って連続して位置され、ここですぐに、前記フレキシブルウェブの前記ロールが低い位置に移動し、前記支持フレーム手段が前記第１及び前記第２運搬手段の間で再度移動するときに、前記フレキシブルウェブが前記第１面と反対の前記支持フレーム手段の第２面に沿って位置されることを特徴とする装置を提供する。
【００１６】
上述の装置の好適な特徴及び構成としては、添付の請求項６２から６５に定義されており、これらの請求項の対象は、これらへの参照によって、本明細書の開示に組み込まれる。
【００１７】
別の構成によれば、本発明は、複数層のフレキシブルウェブが支持フレーム手段の周囲で巻かれることで外板が少なくとも一部分に形成されて前記支持フレーム手段を包装する装置であって、前記装置は、第１運搬手段及び第２運搬手段を有し、前記第１及び第２運搬手段の間で前記支持フレーム手段を移動するように配置され、及び、フレキシブルウェブの少なくとも１つのロールはほぼ前記第１及び前記第２運搬手段の間に配置され、前記第１及び前記第２運搬手段の間で移動し前記フレキシブルウェブを前記支持手段上でらせん状に巻いておくように、前記支持フレーム手段の周囲で周回するように配置され、前記装置は、前記支持フレーム手段の反対面上で前記支持フレーム手段の長手方向にらせん状に巻いたものの下で、又はその上で少なくとも１つのフレキシブルウェブを貼り付ける第１フレキシブルウェブ貼付手段をさらに有することを特徴とする装置も提供する。前記支持フレーム手段上に置かれるフレキシブルウェブはプラスチック材料フィルムであってもよく、また、製造されて利用される製品の必要性に応じて異なる特性を有するフィルムが支持フレーム手段に貼り付けられてもよい。例えば、黒又は他の不透明のフィルムが支持フレーム手段の一方面に貼り付けられ、透明又は半透明のフィルムが他の面に貼り付けられてもよい。らせん状に巻かれたフィルムが透明又は半透明であるならば、最終製品は囲まれた支持フレームであり、透明又は半透明のフィルム層が一方面にあり、黒又は不透明の層が他の面にある。
【００１８】
都合よく、本装置は、第２フレキシブルウェブ貼付手段を有し、１以上のフレキシブルウェブをフレキシブルウェブの他方面に貼り付け、長手方向にらせん状に巻く。また、これらの別のフレキシブルウェブはプラスチックウェブであってもよく、また、最終製品の必要性に応じて選択される特性を有してもよい。フィルムの色又は光透過性を別にして、他の制御の特徴も組み入れることができ、例えば、調節できるブレーキ機構が貼り付けられるフィルムの張力を変え、また、くぼんだ又はその他の加圧ローラが貼り付けられたフィルム層に空洞又は他の特徴を達成する。
【発明を実施するための最良の形態】
【００１９】
本発明のパネル構造のその他多く応用は、添付の図面を参照して次の好適な実施の形態の詳細な説明から明らかになるものである。
【００２０】
添付図面の図１及び図１ａは、例証としてだけ、本発明の１つの考えられる好適な実施の形態を図示する。本実施の形態では、パネル構造１０は、剛性周辺フレーム１１及びフレーム１１を全体的に囲む外板１２を備える。外板１２は、フレーム１１上に巻かれるフレキシブルプラスチック材料フィルムの層からなり、層が互いに少なくとも部分的に接着されている。都合のよいことに、フィルムウェブの少なくとも１つのそのような層は、第１の横断方向にフレーム１１上に巻かれ、フィルムウェブの少なくとも１つの他の層は前述の第１の横断方向に対して直角な第２の横断方向にフレーム１１上に巻かれてもよい。必要ならば、フィルムウェブの２層以上が、少なくとも１層、又は都合よく２層以上を第２の横断方向に巻く前に、第１の横断方向に巻かれてもよい。好ましくは、前述の第１と第２の横断方向の間の角度は６０°から１２０°の間であり、より好ましくは約９０°である。好ましくは、フレキシブルプラスチック材料ウェブはフレーム１１の幅よりも幅がわずかに大きく、しかしながら、フレーム１１の大きさが利用可能なフィルムウェブの幅より大きいならば、フィルムウェブはフレーム１１上にらせん状に巻かれ、ウェブが事前に貼り付けたウェブの長さに重なって貼り付けられてもよい。代わりに、フィルムは、複数の部分的に重なっている隔離した部分に貼り付けられてもよい。外板１２を形成するためにフレーム１１に貼り付けられるフィルムウェブの層の数は、パネル構造の使用目的のために望ましい強さと他の性能特性を達成するように多様であってもよい。プラスチック材料フィルムとしては、降伏点を越えて延伸される事前に延伸されたプラスチックフィルムであってもよく、長さを増やして、厚みを減少させる一方で、フィルムのいくつかの記憶を保持し、それによって、それは一度貼り付けられるとフレーム１１上に組み立てられることになる。この方法で鎖状低密度ポリエチレンのようなプラスチックフィルムを使用してもよいが、他のプラスチックフィルムを使用することもできる。最終製品で異なる特性を利用するために張力の程度が異なって保持される異なるフィルムを使用してもよい。代わりに、異なるフィルムを同様の結果を得るために異なる張力で貼り付けることができる。外板１２を形成するフィルムウェブは自己接着プラスチックフィルムであってもよく、これはフィルム材料の処方に含まれる接着性の添加物を有していてもよく、又はこのフィルムは、外部層を接着樹脂で形成した少なくとも２層を含む同時押出フィルムであってもよい。さらにまた考えられる構成では、外板１２を形成するフレーム１１に貼り付ける前に又はその間に、フィルムの表面に接着剤を塗布又はコートしてもよい。別の考えられる構成では、フレキシブルウェブ材料の非接着性の層の間に、積層接着層を塗布してもよい。塗布接着剤、又はフィルム内に又はその上に組み入れる接着剤が耐火性接着剤であってもよい。
【００２１】
フレーム１１が外板１２で全体的に囲まれると、フレーム１１内の空洞又はスペース１３に空気がまず閉じ込められる。そして、空洞１３で、又はフィルムウェブの層間で、フィルムウェブのそれぞれの次の包装とともに、さらに空気が閉じ込められてもよい。フレーム１１又は部分的に包装されたそのようなフレーム１１上にフィルムを巻くときに、くぼみのあるローラなどを利用することで、これを達成してもよい。このプロセスを繰り返すことで、パネル構造１０にとって、望ましい絶縁特性及び／又はクッション特性を達成することができる。フィルムウェブがフレーム１１に圧力で貼り付けられると、フィルムによってフレームに付加される圧力が、上述したように空気を空洞１３及び／又は層間に閉じ込めるように、フィルムウェブの層間の密閉を増加させる傾向がある。
【００２２】
これを望むならば、フィルムウェブをゆるく貼り付けること、又は貼り付ける前に又は貼り付けるときにフィルムウェブをくぼませることで、より多くの空気を外板１２の層間に閉じ込める原因になることもわかってきた。他の考えられる選択肢としては、この方法で形成されたパネル構造の外観を改善するように、滑らかな又は平坦なフィルムウェブ層が外部層として貼り付けられて、フィルムウェブの内部層又は中間層にくぼんでいる又は同様の効果を提供することである。
【００２３】
必要に応じて、外板１２の片面又は両面、又は外板１２の層に穴を開けることで、空洞１３に残っている空気の圧力を制御し、使用されるときの温度に関わらず空洞１３内の空気を気圧に保つことを確実にしてもてもよい。
【００２４】
図１及び図１ａでは、フレーム１１は、鋼又はアルミニウム（又はそれらの合金）のような金属、松を含む木材から、又はもしかすると剛性又は半剛性プラスチック材料から作製される。これらは、いずれかの望ましい横断面図であるが、好ましい応用では、図３ａ及び図３ｂに示すようなＬ−横断面１４又は図３ｃ及び図３ｄに示すような三角形の横断面を有する。Ｌ形状の構造では、Ｌ−断面部材１４の足１５、１６は同じものであってもよいが、異なってもよく、しかしながら、図２に示されるような容器を製造するためであれば、足１５、１６が等しい長さであることが好ましい。使用中に、外板１２は、足１５、１６の外部縁間にベベル表面１７を形成する。代わりに、図３ｄに示すような三角形断面を使用してもよく、これによって現れる表面１８上で外板１２をベベル表面１７と等しく形成してもよい。図３ｃは部材１４用の別の三角形断面を示し、これによって現れる一対のベベル表面１９、２０上で外板１２を形成してもよい。図３ｅは、考えられる半円形の横断面が外部カーブ表面２１を有することを示し、この上に外板を形成してもよい。この特性が望まれるならば、フィルムウェブ層を互いに密閉することをこの部分が改善すると考えられている。図３ｆの図示では、別の考えられる長方形（又は正方形）横断面が外部正方形又は平坦表面２２、２３及び２４を表し、この上に外板１２を形成してもよい。内側又は外側を向いているＣ−断面の足とともに溝又はＣ−断面を利用して、低重量レベルでの同様の効果を達成してもよい。また、円形輪郭の断面を使用することもでき、もちろん、金属チューブ又はプラスチックパイプ又はチューブなどの中空又はチューブ状断面のように、いずれの輪郭断面でも使用することもできる。図１及び図１ａに示すように、好適な一実施の形態は正方形（又は長方形）の剛性周辺フレーム１１を利用しているが、当然のことながら、用途に応じて、三角形形状及び他の多角形形状を含む他の形状を用いてもよい。フレーム１１は、図１及び図１ａに示すように、個々の部材１４から作製されるように図示され、しかしながら、用途によっては、一つの部品にモールドされ又はキャストしてもよい。フレーム１１は、それに貼り付けられるフレキシブルプラスチック材料ウェブの外板１２を支持するように十分に堅い必要があるが、用途に応じて、又はフレーム１１を後述するようにリサイクル又は再利用するか否かに応じて、フレームを形成するために使用する材料を変えることができる。適当な材料としては、用途に応じて、金属及び金属合金、木材、形成ボール紙、剛性プラスチック材料、フレキシブル膨張式プラスチック材料又は前述の材料の組合せを含んでもよい。さらに、フレーム１１の必要な剛性を達成するために、内部に剛性又は補強部材を用いてもよい。
【００２５】
図２、２ａ、２ｂ及び２ｃに概略的に図示するように、容器又は箱２５は、直立している側壁２６（その２つが示される）及び蓋又は閉鎖壁２７から底壁２８（図２ｃ参照）を有する。それぞれの底壁、側壁及び上部閉鎖壁を図１及び１ａに図示するようなパネル構造１０で形成してもよい。当然のことながら、パネル構造１０の形状及び寸法を変化させることで、大きさ及び形状が異なった容器を製造することができる。容器が上部閉鎖又は蓋を持たないことに制限されず、また、多角形（正方形又は長方形以外）の形状の底壁（及び必要ならば蓋）が長方形（又は正方形）の側壁を備え、この側壁が多角形形状の底壁の各面に接続することで多角形の容器を提供することに制限されず、多くの変形例を含むことが可能である。図２に図示する好ましい実施例では、パネル構造１０がそれぞれ有するベベル端面１７は、パネル構造の平面に対し４５°で配置され、隣接するパネル構造ではベベル端面１７が互いに接触して９０°の角を形成するようになる（図２ａ参照）。接着テープ２９をパネル構造の隣接する縁部に沿って実質的に全体に貼り付けるように用いることで、側壁２６を底壁２８にヒンジで接続してもよい。
【００２６】
容器又は箱２５が直立又は組み立てられた状態では、タブ固定するベルクロ（登録商標）などのような解除式留め部材３０によって、側壁２６を互いに隣接して保持する。他の保持する構成として使用されるものには、円周方向のストラップバンド、接着テープ又は別のプラスチック材料フィルムウェブでの包装を含んでもよい。最終製品に適しているならば、さらに別の機械的掛け金を用いることもできる。蓋又は上部閉鎖壁２７を単純にゆるく貼り付けてもよく、また、テープをヒンジにしてそれを側壁２６に接続してもよい。容器を梱包するときに、パネル構造の各隣接する縁部をシーリングテープで固定してもよい。必要ならば、１以上の解除式留め部材（例えばタブ３０）を貼り付けて、蓋又は上部閉鎖壁２７を閉じた状態で解除可能に固定するようにしてもよい。一構成では、ストラップバンドを容器壁に接着させてテープするように用いることができる。いずれの実施の形態においても、容器を開けるときに、１つの壁を部分的又は完全に取り外し、容器から物に手が届くようにし、又は物を取り出すようにしてもよい。
【００２７】
代わりの構成では、容器を形成するパネル構造１０を完成した、又は直立した状態で一時的に押さえ、その後に、別の層又はプラスチック材料フィルムウェブの層を直立した状態で同じように固定するために容器の周りに巻きつけておいてもよい。代わりに、直立した状態で容器を固定するために、接着テープ材料又はストラップ材料を使用することも可能である。これは、側壁及び底壁のみを含んでもよいし、又は上部蓋又は閉鎖壁も含んでもよい。必要ならば、パネル構造の外部壁表面にあるシートに広告、販売促進又はその他の印刷物を備えてもよく、透明又は透過性のプラスチック材料フィルムウェブの外部層又は複数層がパネル構造の周りに巻き付くことでシートをその場所に保持している。代わりに、プラスチック材料フィルムウェブの外側の包装で上述したように容器を形成することになるならば、この外側の包装（これが透明又は透過性ならば）と事前に作製したパネル構造の間に印刷物シートを配置してもよい。
【００２８】
当然ながら、上述の型の容器を平坦な状態でエンドユーザーにすぐに出荷し、適当な方法で組み立て、梱包し、固定してもよい。個々のパネル構造で、又はパネル構造を互いにヒンジで接続して容器を出荷してもよい。剛性周辺フレーム１１を隣接した構成で形成し配置し、プラスチック材料フィルムウェブ又は複数のウェブで同時に包装し、プラスチック材料フィルムウェブが容器などの作製用のパネル間でヒンジ及び接続手段をなすようにしてもよいと考えられている。
【００２９】
製品を保存するための容器の場合では、前述のように製造された容器の中への及び容器の外へのいくつかの通気孔を備えることが望ましい。フレキシブルプラスチックフィルムの外板によって付加される張力を少なくとも部分的に受け、上方に曲がることができる少なくとも１つのパネル（例えば容器の床）用のフレーム１１を形成する部材を備え、これによって、少なくとも部分的な空隙が１以上の角で発生することで、これがなされるかもしれない。代わりに、フィルム層又は複数層が貼り付けられてから通気をさせるように穴を開けてもよい。
【００３０】
考えられる他の好ましい実施の形態では、前述した剛性周辺フレーム１１をフレキシブルなヒンジシート又は部分的な接着などのヒンジ手段で最初に接続してもよく、又は剛性周辺フレーム１１の隣接する縁部に固定してフレーム１１の隣接する縁部をその隣接する縁部の間で縁部に平行なヒンジ軸の周囲で旋回させるようにしてもよい。そして、このように相互に接続したフレーム１１をプラスチック材料フィルムウェブ又は複数のウェブで包装し、それらから作製された容器などのパネルの隣接する縁部の間の区域をフィルムウェブが補うようにする。
【００３１】
添付図面の図４から５ｃ及び８から１０では、重ねて例示のみとして、本発明の他の考えられる好ましい実施の形態を図示する。図４及び５では、長方形のフレーム組立品７０を１対のサイドバー７１（１つのみを示す）と１対のエンドバー７２、７３で作製する。３箇所の中間のクロスバー７４、７５及び７６をサイドバー７１の各端部に溶接、接着又はその他固定して備える。図示の実施の形態では、バー７１から７６は、山形材又はＬ−形状の横断面を有し、金属、プラスチック材料、ボール紙又は前の試験で特定されるその他のあらゆる材料から一般的に作製することができる。Ｌ−形状の構成には特定の実際の利点があるが、本明細書のほかの場所で説明しているように、組立品でできている最終製品又は使用方法に応じて、バー７１から７６のその他の横断面を使用することができることも認められることになる。図４及び５にさらに示すように、ヒンジ区間７７、７８及び７９をサイドバー７１に作製して、ヒンジ軸８０、８１及び８２を定めてもよい。各ヒンジ区間７７、７８及び７９をサイドバー７１のウェブ８３を切って作製し、ヒンジ軸方向に曲がったベベルノッチ８４を作製し、サイドバー７１がヒンジ軸の周りで曲がり図６に図示するように正方形の管形状８６を作製するようにしてもよい。明らかに当然のことながら、組立品が長方形、三角形、六角形又はいずれかの多角形形状を含む管形状の中に曲がるように、ヒンジ軸８０から８２の数とベベルノッチ８４の角度を選択してもよい。所望の最終製品を作製するために２以上のそのようなフレーム構造を組み合せてもよい。図８に示す曲げて作製した構成では、クロスバー７４、７５及び７６が２つのエンドバー７２及び７３とともにこのプロセスで作製した管状構造の直立した角を作製する。
【００３２】
フレーム組立品７０をヒンジ軸８０から８２の周囲で曲げる前に、前述した実施の形態のように、１以上のフレキシブルなプラスチック材料フィルムウェブで組立品７０を包装し、フレーム組立品の両側面で、また縁部の周りに外板１２を備える。好ましくは、サイドバー７１間の距離に等しい幅のフィルムウェブをエンドバー７２、７３の周囲で１以上の層を通過させてフレーム組立品７０の周りに縦方向に巻きつけてもよい。２つのサイドバー間の距離が利用可能なフィルムの幅より大きすぎるならば、互いに間隔を空けているが重なっている２以上のフィルムウェブを最初の包装工程で利用してもよい。続いて、１以上のフレキシブルプラスチック材料ウェブをフレーム組立品７０にらせん状に巻きつけ、サイドバー７１の周囲を円周方向に通過して、２つのエンドバー７２、７３の間で重なり合う関係でフレーム組立品に沿って伸ばす。その後、縦方向に巻いたフィルムウェブの第２層をエンドバー７２、７３の上及びその周りに備え、最初に述べた層と同様の方向に広げてもよい。代わりに、２層のらせん状に巻いたフレキシブルフィルムウェブ材料を１層の縦方向に巻いた材料によって分離して備えてもよい。いずれかの特定の用途用の所望の性能特性を達成するまで、フレキシブルプラスチック材料の他の層を事前に作製した層上に組み立ててもよい。フレキシブルプラスチック材料フィルムの特性及びいずれかの関係する性能特性の特徴は先の実施の形態で説明したとおりである。フレキシブルプラスチック材料フィルムウェブの外板１２を作製すると、フレーム組立品を図８に示す管状構造８６に曲げ、接着テープ８５などの適当な手段で、又はプラスチック材料ウェブの追加の層で作製した管状構造をさらに包装し、エンドバー７２、７３によって作製される隣接する接合縁部をともに固定してもよい。
【００３３】
必要ならば、前の実施の形態に関連して上述したように蓋及び／又は底が構成されることで、上述のように作製した管状構造を容器に作製することももちろん確認することになる。この型の容器の考えられる使用方法としては、安価で便利な方法で、白物又はその他の多くの製品用である。
【００３４】
図５ａは、また別の考えられる好ましい実施の形態を図示し、後述するように異なる特徴を有する他は図５と同様である。この場合では、フレーム組立品９０は、一般的には金属、ボール紙又はプラスチック材料の角度付き又はＬ形状の材料から作製し、ヒンジ区域９７、９８及び９９を縦方向のバー部材９１で作製することができる。第２のそのようなバー部材が反対側（不図示）に位置し、２つのバー部材が横軸のバー部材９４、９５、９６及びエンドバー９３によって接続する。第２エンドバー部材及び別の横軸バー部材は図示していない。構成では、各バー部材を接続して底パネル１００、２つの側面パネル１０１及び２つの蓋形成パネル１０２（そのうち１つのみ図示する）を定義するようにする。側面パネル部材１０４を作製するために構成される１対の別のフレーム部材１０３が底パネル１００の隣に位置し、そこから側面に沿って延びる。フレーム部材１０３が縦方向のバー部材９１の次に大まかに位置し、続けてそこに貼り付けられる外板を覆うことでそこにヒンジ接続してもよい。場合によっては、フレーム部材１０３をバー部材９１に接続するために、特定のヒンジ手段を用いてもよい。場合によっては、フレーム部材１０３がバー部材９１から間隔を置く必要があるかもしれなく、この場合では、「剛性」ヒンジ手段が必要になる。すなわち、この意味での剛性は、フレーム組立品９０の面にその後のフィルム包装プロセスで付加される力に抵抗するが、容器などを組み立てるときに１以上のヒンジ区域がフレーム部材１０３のバー部材９１へのヒンジを許容させることである。当然のことながら、ある場合ではヒンジした蓋が必要ではないかもしれないし、そして半分のパネル１０２を作製する蓋が省略されるかもしれない。図５ａの破線の輪郭１０４、１０７は、フレーム９０にプラスチックフィルムウェブを包装した後の外板１２の外皮を示す。部分１０５、１０６は、容器を組立た後に必要になり、接着テープで、又はプラスチックフィルムウェブで容器をさらに包装することで、容器の外部表面に対し固定される。この方法で構成した容器は液体耐性でもあり、液体又は半流動体の材料を固定、保存又は輸送するために容器を使用してもよいこともまたすぐに確認することになる。
【００３５】
図５ｂの図示では、考えられる角の構造であり、剛性の管材料１１３でヒンジ区域１１０を利用している。この剛性の管材料１１３では、１つの足１１２が矢印１１１の方向に曲がり、最初に作製された平らなフレームから３次元構造を形成する。これは本明細書で説明されるようにプラスチックフィルムウェブで包まれてもよい。図５ｃの図示では、同様の構成であるがフレームを形成する材料が中実の平らな長方形ストリップ材料１１４である。
【００３６】
図６及び７ａから７ｄを参照すると、容器を作製する別の方法が示され、この容器は液体耐性であり、すなわち液体及びその他の流動性材料を収容することができる。図６に示すように、例えば図１及び１ａで示したような複数のパネルを備え、１つの中央パネル１０が容器１３０の容器底１３１を形成するように構成され、たくさんの同様のパネル１０がそれぞれ容器１３０の側壁パネル１３２、１３３、１３４及び１３５を形成するように構成され、各側壁パネル１３２から１３５の縁部が底壁パネル１３１の縁部に接近して隣接して配置されるように構成される。図示の実施の形態では、各パネル１３１から１３５はほぼ正方形であるが、当然に長方形のパネルを用いてもよい。必要ならば、底１３１が三角形又はその他の多角形であってもよい。本明細書で説明するいずれかの実施の形態の場合と同様に、各パネル１３１から１３５をプラスチックフィルム材料の外皮１２で包んでもよい。さらに、先に説明したように、プラスチックフィルム材料の外皮１２で包む前、又はその後に、パネルの内部の空間にポリスチレンを含むプラスチック材料の発泡体のような断熱材料を含んでもよい。都合の良いことに、各パネルの内部のフレーム材料１１には、各縁部にベベルフィルム表面が構成され、これは容器形状に構成されるときに隣接するパネル部材上の同様のベベルフィルム表面と協働する。パネル１３１から１３５の配置１３７は図６に図示するように簡単に位置し、縁部が互いに接近して隣接してもよく、又はヒンジテープなどを隣接するパネル１０のフィルム表面に貼り付けることでそれらをこの構成で部分的に保持してもよい。いかなる方法が使われても、パネル１３１から１３５の配置１３７をプラスチックフィルムで全体的に包み、好ましくは、このプラスチックフィルムを図示した３つのパネル１０の幅に等しい又はこれを上回る幅にする。代わりに、２以上のフィルムウェブが互いに重なるようにして上から包装してもよい。好ましくは、フィルムウェブ又は複数のウェブをパネル配置１３７の周囲にパネル１０の側面に平行な第１の方向で巻き、そのように巻くことによって２層以上のフィルムとする。そして、フィルムウェブ又は複数のウェブを前述の第１の方向に対しだいたい９０°である第２の方向に巻き、２層以上のフィルムをこの第２の方向に置く。その後、十分な層のフィルムをパネル配置１３７全体に巻いて液密の外皮１３８を形成するようになるまで、このプロセスを続けてもよい（又は続けなくてもよい）。図６に図示する特定の実施の形態の外皮１３８はほぼ正方形であり、その角の正方形のフラップ１３９、１４０、１４１及び１４２がプラスチックフィルム材料のみからなる。このように、図７ａに示すように、側面パネル１３２から１３５を底パネル１３１に対して上方に回転させて容器１３０を形成するときに、角のフィルム部分１３９、１４０、１４１及び１４２は三角形のフラップ１４３を形成し、このフラップ１４３は側面パネル１３２から１３５に対して固定される。任意の適当な手段によって、図７ａに示すような容器の構成１３０を直立した状態で保持してもよいが、好適な１つの方法としては、側壁と三角形のフラップをフィルム１４４の他の層又は複数層���上から包装することである。他の手段として、接着テープ、円周のストラップ及び機械式ラッチ装置を含んでもよい。このように形成した容器を閉じるために、上部パネル１０を備えてもよく、また、プラスチック材料フィルムを１以上の直交方向で上部を上から包装することで（必要ならば）閉鎖してもよいことはもちろん明らかである。外皮１３８によって、容器１３０内に保管されるかもしれない液体又は流動性材料が容器１３０の縁部で漏れないことを確実にする。
【００３７】
別の実施の形態では、パネル１０が図６に示すように位置してもよく、これは１つの側面（容器の内部を形成するための側面）で、パネル１０に直接接着可能な単層（又は多層）の材料のみで、又はその目的のために備えられた接着手段によってカバーされる。１以上の層が図６に示すように周辺部１３８を有する。その後、上述したように容器を形成するためにパネル１０を組み立てる。この場合では、図７ｂに示すように、三角形のフラップを上部の縁部で内側に形成し、好ましくは、上部の縁部を接着テープ１７０によって密封する。単層又は多層はプラスチックフィルム層であってもよいが、材料がフレキシブルで曲げることができるならば、金属箔を含むその他の材料からなり、又はその材料を含むことができる。
【００３８】
図７ｃ及び７ｄには、図７に示す容器１３０の正面立面図を概略的に示すが、その他の好ましい特徴も図示する。図７ｃに示すように、間隔を空けた支え１５０及び１５１が外側の外皮内で縁部フレーム構造１１に各端部で固定されている。支え１５０、１５１は離れて間隔を空けて区間１５２を備え、リフトトラックのフォークが容器の下にアクセスして持ち上げることを可能にし、必要な場合にそれの取り扱いを可能にする。図７ｄに図示するように、支え１５０、１４１は溝が逆になった形状の部材であり、内部の区間１５３、１５４にリフトトラックのフォークを置くものであってもよい。図示するように、図７ｄでは本発明のパネル構造から作製された蓋１５５も備え、周辺フレーム１１内の内部区域１５６が、容器の上部の縁部の外側周辺に接近している内部寸法を有する。蓋１５５のプラスチックフィルム外板を適度にフレキシブルにして、蓋１５５が図示の位置に押されるようにしてもよく、必要ならばこの位置でいずれかの適当な手段で固定してもよい。蓋１５５及び容器の側壁１３２から１３５のプラスチック材料フィルムの特性によって蓋と側壁の間を密閉してもよい。
【００３９】
図１２に概略的に図示するパネル構造１０の一形態は、池、ダム、水泳プールなどの貯水区域でそこからの蒸発を減らすためのラフトとして使用することができる。この場合では、フレーム構造１１をプラスチック管から形成することができるが、貯水に浮かぶ構造ならば、他のいずれかの材料を用いてもよい。パネル構造１０の上部及び下部表面に実質的に平らな外板（プラスチックフィルム層）を有する。大きいパネル構造１０では、長い方のフレーム足１６０及び１６１を１以上の交差補強部材１６３で補強し、これらの足が内側に曲がらないようにするとよい。必要ならば、交差補強部材１６３が一側面（または両側面）から上方に延びている短い直立部材１６４を有し、巻きつけたプラスチックフィルムウェブ層を周辺フレーム１１から直立部材１６４の自由端１６６まで上方に傾けるようにしてもよい。これより、フィルム層の傾斜表面によって、パネル構造１０に落ちる雨がいずれも貯水量域にすぐに流れ出す。フィルム層で水が接触する表面が大きいことで、水の張力を十分にし、強風状況下でパネル構造／ラフトが吹き飛ばされ、又は貯水領域から外に出ることを防止すると考えられる。図１２に示す部材を形成するフレームではプラスチック管を組み立てたものが示されるが、これらの部材を木材、金属及び竹を含む中実又は中空の材料から作製してもよい。断面形状は円である必要はなく、正方形、長方形又はその他の形状であってもよい。外板を形成するために貼り付けるプラスチック材料フィルムを十分な付加張力又は維持張力（事前にフィルムを延伸する）で貼り付け、確実に外板をかなり堅くし、防水性で、簡単に曲がらないようにする。
【００４０】
図１３には、図１２のパネル構造ラフトの変形例の部分断面図を図示する。これは、比較的簡単で安価な方法で海水又は塩水を脱塩するものである。この装置１０は内部に周辺フレーム１１を有し、その少なくとも一部分１７０は中空である。他の実施の形態で概略して説明しているように、フレーム１１はプラスチック材料フィルム層１２の周囲の外板を有する。外板１２の底部層１７は通常黒いか暗く不透明のフィルム層であり、上部層１７２は都合よく透明又は高透過性であり、その製造方法は本明細書のどこかで説明している。上部層１７２は外部周辺フレーム１１に向けて下方向に傾斜してもいる。図示した構成は海水（又は同様のもの）の区域１７３上で浮かぶようになっているが、陸上に置けるようにもすることができる。この構成は注入口配置部１７４を備え、外部の水をパネル構造１０内の区域１３に入れ、底部表面を形成する黒い又は不透明で暗い層１７１全体に比較的薄く広げる。注入口配置部１７４から離れて、より高濃度の塩水用の排出口配置部を備える（不図示）。塩分を含む水の内部区域１３への流れ及びそこからの流れを制御する制御系を備えるが不図示である。使用中に、太陽エネルギーが上部層１７２を通過することで区域１３内の塩水を加熱し、純水を水蒸気の形でそこから蒸発させる。この水蒸気は上部層１７２の内部表面１７５上で凝結し、この表面から落ちてフレーム１１の収集区域１７６に収集される。この収集区域１７６は開口部１７７を有し、周辺フレーム１１の部分１７０の中空区域又は複数の区域に純水を収集することができる。この純水が十分な程度になると、この区域（又は複数の区域）から純粋収集槽など（不図示）にポンプで排出される。
【００４１】
別の好ましい用途では、概略して上述したようなパネル構造１０を使用して、広告又は同様の図形表示用の底構造を提供することができる。この場合、再び、外板の張力を適度に高く維持しなければならず、必要ならば、内部のフレームの形状が適当な交差又はその他の支えを有し、外側周辺部が内側に実質的に曲がらないようにしてもよい。そのような図形表示は望ましいグラフィック表示をパネル構造の外板に直接印刷しておいれもよく、必要に応じて、パネルの外板の外表面層を特に選択して、適当な直接印刷技術に対応してもよい。代わりに、パネル構造の一表面に従来の方法で接着される紙、プラスチック又は同様のシート上に従来のグラフィック用として、パネル構造１０を副支持部として簡単に利用してもよい。
【００４２】
他の考えられる構成では、図形／グラフィックを印刷又は接着したパネル構造の外板をパネル構造の残った外板から取り外せるようにすることもできる。これによって、図形／グラフィック材料の寿命が尽きるときに、必要ならば再利用のために外側層をパネル構造から簡単で容易に剥ぎ取ることができる。例えば、それらの下の新しい図形又は表示を見せるためにしばらくしてから徐々に剥ぎ取る多様な層上に異なるいくつかの図形又はグラフィックを備えることが可能であるかもしれない。代わりに、図形／グラフィック材料を分けて接着した場合に、古いグラフィックを新しいグラフィックで簡単に重ねることもできる。
【００４３】
上述したパネル構造は従来の標識に対していくつかの利点を有し、かなり安く製造でき、安価な方法で耐候性とすることができ、これによってそれらの構造で高価でない材料を使用することができる。パネル構造１０は１つの好ましい構成において耐候性及び／又は耐水性とすることができ、パネル構造又はそれらから製造される製品が高湿度によって劣化しやすいところで、外部用途又は内部用途用に用いることができる。水泳プールやその他の保水施設でのラフトなどの用途や、カバーのようなその他の浮き用途で、少なくとも一側面で内部空間１３が密閉されるこの構成におけるパネル構造を使用してもよい。プール等用にラフトや浮きぶたのような装置を作製するために、複数のそのようなパネルをともに作製することもできる。
【００４４】
図１１、１１ａ及び１１ｂには、パネル構造１０を使用する別の製品を図示する。この他の好ましい実施の形態では、支持底壁４１を有する適当な型の枠組構造上に容器を作製する。角の柱４２を底支持壁４１の角に取り外し可能に配置し、各角の柱４２がそれに固定される溝部材４３を有し、溝部材４３の開口溝４４が支持底壁４１の側面又は端部の縁部に沿って対向している。必要に応じて、開口溝４６が上方を向いている底溝部材４５を底壁４１の各側面又は端部の縁部に沿って配置する。底溝部材４５を枠組構造４０に取り外し可能に接続してもよい。図に示すように、溝部材４３及び４５の開口溝４４及び４６に枠組構造１０を配置し保持することができる。この用途で必要ならばより大きなパネル構造１０では、少なくとも１つの内部補強リブ又は棒が少なくとも一方方向で内部空洞１３を横断して、反対側の端部が剛性周辺フレーム１１の一部分に接続されていることが望ましい。この型の構成を温室又は同様の構造で使用することもできる。
【００４５】
別の好ましい実施の形態では、内部フレーム構造をボール紙又は断ボール紙又は成形プラスチックで作製し、折り目線を配置して、パネル構造を使用中に同様に折るようにしてもよい。そして、内部フレーム構造を、フレキシブルプラスチックフィルムウェブ（又は複数のウェブ）で一方向（又は二方向）に、内部ボール紙又はプラスチックフレームの縁部の周囲で巻いて、重なる層を少なくとも部分的に互いに接着してもよい。一般的に、ワインボトル等の個々のボトルを支持し保護する梱包としてこのような構造を使用することができる。
【００４６】
さらに他の好ましい実施の形態では、内部空間又は区間を定義する内部支持フレームを有する構造を利用して、液体及び流動材料を保持し、運搬し、輸送し、又は保存する容器を製造し、複数層でフレキシブルプラスチック材料フィルムでフレームを巻いてもよい。フレーム、したがって、立方体形状の容器の場合では、プラスチック材料ウェブをフレーム付近に互いに９０°に配置され３方向に巻きつけ、立方体形状の６面を完全に覆って、外板内に密閉区域を形成してもよい。そして、外板の一面に開口を作製し、アクセス手段を容器から液体又は微粒子材料を充填し分配するために設けてもよい。必要ならば、開口部は取り外し可能な密閉手段をさらに有してもよい。
【００４７】
図１４及び１５には、上述した物又はパネル構造１０を製造する装置の１つの考えられる形態を概略的に図示する。もちろん、当然ながら、多くの他の形態の装置を手動又は半手動の技術を含んで使用することができる。図１４は装置の平面図を示し、図１５は装置の側面立面図を示す。図示する装置５０は、３対のコンベイ５１／５２、５３、５４及び５５／５６を有し、各対のコンベイが使用中にその間に構成される作業空間を有して互い直面し、コンベア間に剛性周辺フレーム１１を受け入れる。後述するように、コンベイの対５３／５４及び５５／５６は、矢印５７で示すように各対の間でフレーム１１を通過させるように構成される。各対のコンベヤ５３／５４と５５／５６の間で、フレキシブルプラスチック材料フィルムウェブのロール５８は、コンベヤ対によってコンベヤ対の間で移動しながら、基本的にフィルムウェブをフレーム１１に貼り付けるように配置される。フィルム５８のロールは矢印６０で示すように縦方向に移動可能でもある。最終的に、コンベヤ５３／５４の対を中心軸６１の周囲で全体的に回転可能として、コンベヤ５５／５６の対と協働し、又はフィルム５８のロールと同様に移動可能である別のフィルムロール５９を利用してローラ５１／５２の別の対と協働するようにしてもよい。
【００４８】
ここで、本明細書に添付された図１５を参照する。フレーム１１は最初に左側に図示する位置にあり、フィルムウェブ６２はフレーム１１の下面に沿った位置にあり、ロール５８は下部位置６３にあり、ロール５８はその上部位置６４に縦方向に動作し、フレーム１１は右方向に動作し最後に１１’で図示する位置になる。この位置で、フィルムウェブ６３をフレーム１１の上面に沿って置いた。この点で、フィルムロール５８はその底部位置６３に再度動作し、フレーム１１はコンベア対５５／５６及び５３／５４で左側位置に動作する。その際、フィルムウェブの第２層をフレーム１１の下面に沿って最初に重ねた層上に貼り付ける。プロセスを繰り返して、目標数の層のフィルムウェブ６２をフレーム１１に貼り付ける。これが終了するときに、フィルムウェブ６２を切断し、コンベア対５３／５４を軸６１の周囲で９０°回転させ、それで部分的に包装したフレーム１１を運搬する。そして、包装プロセスを繰り返し、部分的に包装したフレーム１１をコンベア対５３／５４と５５／５６の間に再び通過させ、ロール５８からのフィルムウェブ６２を最初に重ねたウェブに対し実質的に９０°の角度で貼り付ける。もちろん、当然のことながら、コンベヤ対５３／５４が軸６１の周囲で全体的に回転可能でなくても、部分的に包装したフレーム１１を同様に移動させ、コンベヤ対５３／５４の間で同様に再配置する前に９０°の位置にフレーム１１を手動又は半手動で再設定することで、同様の効果を得ることができる。異なるフィルム又はその他のウェブ材料６５を都合よく貼り付けることが必要ならば、第２の対の直面しているコンベヤ５１／５２をコンベヤ５３／５４に対し９０°で配置して備え、必要なフィルム又はウェブ材料６５のロール５９をコンベヤ対５１／５２と５３／５４の間に配置してもよい。ロール５９を第１のロール５８に対して９０°で配置し、第１のロール５８と同様の方法で移動可能にする。さらに他の考えられる構成では、４対の直面したコンベヤを備え、第１及び第２の対を第３及び第４の対のコンベヤに対し９０°で配置してもよい。このような構成のフレーム１１を最初の２対のコンベヤと介在するフィルムのロールの協働によって最初の方向に包装し、その後で、第２及び第３の対のコンベヤの間を通過させ、そして、第３と第４の対のコンベヤの間で介在するフィルム又はウェブのロールによって第２の方向に包装する。上述したいずれかの実施の形態では、別々の方向で包装するプロセスを、必要ならば何回も繰り返してもよい。好ましくは、各ウェブ６２／６５はフレーム１１よりもわずかに広い幅を有し、加圧手段（不図示）が延伸縁部をフレーム１１の側面縁部に対して加圧する。都合のよいことに、図示した対５１／５２、５３／５４及び５５／５６のような各コンベヤ対の構成を異なる厚さ、幅及び長さのフレーム１１に対応するために調整可能とすることができる。
【００４９】
図１６には、本明細書で説明したいずれかのフレーム組立品の外板１２を形成する別の可能な方法を図示する。本実施の形態では、図１６に図示するように、１対のコンベヤ１２０、１２１を備え、左又は右に同様に動作する間にフレーム１２２を支持する。１対のフィルムロール１２３、１２４を備え、フレーム１２２の上部及び下部に沿ってフィルムウェブを重ね、一方で、第２の対のフィルムロール１２５、１２６をコンベヤ１２０、１２１の間でフレーム１１の周りに回し、ロール１２３、１２４から最初に重ねたフィルム上にらせん巻きで重ねてフィルムを重ねる。最終的に、第２の対のフィルムロール１２７、１２８を備え、ロール１２５、１２６かららせん状に包装したフィルム層上にロール１２３、１２４と全体的に同じ方向にフィルムを貼り付ける。もちろん、ロール１２５、１２６の一方を省略してもよいし、追加のロールを追加してらせん状に巻いた層を貼り付けることもできる。部分的に巻いたフレーム１２２を機械を通じて反対方向（右から左）に運用することで、プロセスを繰り返すこともできる。
【００５０】
さらに他の構成では、パネル構造１０又はそれから作製する容器２５が空気を空洞１３及び／又はフィルムの層間に閉じ込めるため、そのようなパネル構造及びそれから作製される容器は優れた断熱特性を有する。これは、容器を冷凍又はチルド製品用に使用するとき、例えば、新鮮又は冷凍の魚又は農産物を梱包するための発泡スチレン、又は冷却貯蔵所で使用される大きな農産物の箱に代わり、冷蔵容器を製造するときに、利点及び／又は必要性がある。パネル構造を仮設住宅で夏場に涼しくするために使用し、また、冬場に熱を保持するために使用することができる。パネル構造は断熱性であるため、加熱及び／又は冷却のコストを大幅に削減して、温室でも同様に適用される。パネル構造を他の断熱方法に代えて建物の断熱材として使用することもできる。難燃性の添加剤でフィルムの外層を少なくとも処理することが好ましいが、フィルムの容量が平方メートルあたり少ないため可燃性材料の量が最小限である。接着剤を使用するならば、難燃性接着剤が好ましい。考えられる火災の危険性に関して、発泡スチロール又はポリウレタンと比較すると、燃焼する材料が実質的に少ない。
【００５１】
パネル構造をより持続する建物又は他の構造物で使用するならば、石こう、下塗り材、合板パネル、剛性プラスチック、鋼又はアルミニウムシート、又は他の適当な仕上材によって例えば冷蔵容器、冷却貯蔵所、断熱建物構造などでそれらをコートすることができる。このような容器又はパネルの場合では、断熱材がフィルムと空気であり、フィルムが支持部材として作用するため、そのようなパネル構造と容器では他の既知の構造に比べて重量が減少し、したがって、運送費がとても安く、建物の荷重がとても軽くなる。
【００５２】
他の側面では、容器又はパネル構造の壁をフレキシブルフィルムで作製し空気で充填しているため、そのような空気に梱包される製品はフレキシブルな壁及び底に接触し、これより、他の容器又はパネルよりも十分に保護される。同様に、容器が蓋を有する場合では、容器の内容物を保護する程度を同様に改善するように蓋を同様に構成してもよい。したがって、このような方法で作製した容器は、白物及び他の壊れやすく、及び／又は高価な製品用の保護梱包として用いることができる。これは果物や野菜を梱包し貯蔵するときに重要でもある。そのような生産物を傷つけ損傷する固体表面が最小限だからでる。ワインの瓶などを梱包するために、より小さな容器を用いることができる。
【００５３】
他の重要な側面では、そのようなパネル構造又は容器の製造で最も費用が掛かるものは、フレーム材料とフレームの作製である。したがって、使用又は損傷した後に、パネル又は容器を存在するフィルム上に再度包装するが、フィルムを切り裂いて、フレームを簡単に再度包装して、同じフレーム材料を使用して別のパネル又は容器を製造することがとても望ましい。これより、上述のように製造した容器又はパネル構造は何年も再利用しリサイクルすることができる。
【００５４】
別の側面では、フレーム１１に耐水性材料を用いたパネル構造では、そのようなフレーム又はパネル構造で、液体を貯蔵し入れることが可能になる。そのようなパネル構造は、水を貯蔵し、加熱し、太陽にさらし、及び浄化するために使用することができる。ダム、運河などの上にそれを浮かせ、蒸発を減少させることもできる。
【００５５】
さらに別の側面では、フレーム１１を包装するプラスチックフィルムが高温にさられれるときに収縮してもよく、これによって、そのようなパネル構造がオーブンを通過し、又は加熱手段上において又は加熱手段を通過することで、フィルムをフレーム１１上に収縮させる。結果としてのパネル又は他の物では外板が張って滑らかに改善する。
【図面の簡単な説明】
【００５６】
【図１】図１は本発明の好適な実施の形態によるパネル構造の概略正面図である。
【図１ａ】図１ａは図１の線Ａ−Ａに沿った断面図である。
【図２】図２は図１で示す複数のパネル構造を利用する容器の概略斜視図である。
【図２ａ】図２ａは図２の線Ａ−Ａに沿った部分断面図である。
【図２ｂ】図２ｂは図２の線Ｂ−Ｂに沿った部分断面図である。
【図２ｃ】図２ｃは図２の線Ｃ−Ｃに沿った部分断面図である。
【図３ａ】図３ａは本発明の好適な実施の形態によるパネル構造の周辺剛性フレームを形成することができる要素の断面図である。
【図３ｂ】図３ｂは本発明の好適な実施の形態によるパネル構造の周辺剛性フレームを形成することができる要素の断面図である。
【図３ｃ】図３ｃは本発明の好適な実施の形態によるパネル構造の周辺剛性フレームを形成することができる要素の断面図である。
【図３ｄ】図３ｄは本発明の好適な実施の形態によるパネル構造の周辺剛性フレームを形成することができる要素の断面図である。
【図３ｅ】図３ｅは本発明の好適な実施の形態によるパネル構造の周辺剛性フレームを形成することができる要素の断面図である。
【図３ｆ】図３ｆは本発明の好適な実施の形態によるパネル構造の周辺剛性フレームを形成することができる要素の断面図である。
【図４】図４は本発明の考えられる他の好適な実施の形態の端部立面図である。
【図５】図５は図４の好適な実施の形態で使用されるフレーム構造の部分平面図である。
【図５ａ】図５ａは部分的又は全体的に囲まれた容器の製造を可能にするように構成される他の好適な実施の形態を示す図５と同様の部分平面図である。
【図５ｂ】図５ｂはヒンジ可能なフレーム組立品を製造する他の実施の形態の実施例を図示する。
【図５ｃ】図５ｃはヒンジ可能なフレーム組立品を製造する他の実施の形態の実施例を図示する。
【図６】図６は、液体保持容器に形成することができるパネル部材の組立品の平坦構造形式での平面図である。
【図７ａ】図７aは液体保持容器内に組み立てられた図６で示した組立品の斜視図である。
【図７ｂ】図７bは液体保持容器内に組み立てられた図６で示した組立品の斜視図である。
【図７ｃ】図７cは液体保持容器内に組み立てられた図６で示した組立品の斜視図である。
【図７ｄ】図７dは液体保持容器内に組み立てられた図６で示した組立品の斜視図である。
【図８】図８は管状構造に形成された図４で示した好適な実施の形態の平面図である。
【図９】図９は図８で示した構造のＡで記した角の詳細図である。
【図１０】図１０は図８で示した構造のＢで記した角の詳細図である。
【図１１】図１１は本発明のパネル構造を利用することができる壁構造の概略斜視図であり、特に枠組の底の上に容器を形成するためのものである。
【図１１ａ】図１１ａは図１１の線Ａ−Ａに沿った部分断面図である。
【図１１ｂ】図１１ｂは図１１の線Ｂ−Ｂに沿った部分断面図である。
【図１２】図１２は本発明のパネル構造の好適な実施の形態によって構成される水保管領域から蒸発を抑制するためのラフトの概略斜視図である。
【図１３】図１３は塩類含有の水の脱塩のために構成される図１２と同様のパネル構造の部分及び概略断面図である。
【図１４】図１４は本発明の好適な実施の形態によるパネル構造を製造するために考えられる装置の概略平面図である。
【図１５】図１５は図１４で概略的に図示した装置の概略側面図である。
【図１６】図１６は本発明の好適な実施の形態によるパネル構造を製造するための他の好適な実施の形態の概略側面立面図である。
【図１】
2007518638.tif 000003
【図１ａ】
2007518638.tif 000004
【図２】
2007518638.tif 000005
【図２ａ】
2007518638.tif 000006
【図２ｂ】
2007518638.tif 000007
【図２ｃ】
2007518638.tif 000008
【図３ａ】
2007518638.tif 000009
【図３ｂ】
2007518638.tif 000010
【図３ｃ】
2007518638.tif 000011
【図３ｄ】
2007518638.tif 000012
【図３ｅ】
2007518638.tif 000013
【図３ｆ】
2007518638.tif 000014
【図４】
2007518638.tif 000015
【図５】
2007518638.tif 000016
【図５ａ】
2007518638.tif 000017
【図５ｂ】
2007518638.tif 000018
【図５ｃ】
2007518638.tif 000019
【図６】
2007518638.tif 000020
【図７ａ】
2007518638.tif 000021
【図７ｂ】
2007518638.tif 000022
【図７ｃ】
2007518638.tif 000023
【図７ｄ】
2007518638.tif 000024
【図８】
2007518638.tif 000025
【図９】
2007518638.tif 000026
【図１０】
2007518638.tif 000027
【図１１】
2007518638.tif 000028
【図１１ａ】
2007518638.tif 000029
【図１１ｂ】
2007518638.tif 000030
【図１２】
2007518638.tif 000031
【図１３】
2007518638.tif 000032
【図１４】
2007518638.tif 000033
【図１５】
2007518638.tif 000034
【図１６】
2007518638.tif 000035
【国際調査報告】
2007518638.tif 000036
2007518638.tif 000037
2007518638.tif 000038